(57)【要約】【課題】  金型内側面等の所定箇所に油性離型剤等の油液を、その吐出油量の変動の無い一定の流量を確保可能にする。【解決手段】  油液タンクから油液Ｑを汲み上げて所定の離れた場所へ供給する供給ポンプ２と、供給ポンプ２による油液Ｑ供給時の油量を制御する油量調整機構３とを備えた油液ポンプ装置１を構成する。油量調整機構３は、内部圧調整用の減圧弁４を接続し、供給ポンプ２からの油液Ｑを収容するハウジング３Ｂと、油液Ｑの増減に伴う油量の変動によって上下動するフロート１２、供給ポンプ２に接続してハウジング３Ｂ内の油液Ｑ中に配し、浮力によるフロート１２の位置で供給ポンプ２を作動または停止可能としたフロートスイッチ１１とを備える。【選択図】      図２
2006183589.tif 000002
【特許請求の範囲】
【請求項１】
油液タンクから油液を汲み上げて所定の離れた場所へ供給する供給ポンプと、供給ポンプによる油液供給時の油量を制御する油量調整機構とを備えた油液ポンプ装置であって、油量調整機構は、内部圧調整用の減圧弁が接続され、供給ポンプからの油液が収容されるハウジングと、油液の増減に伴う油量の変動によって上下動するフロート、供給ポンプに接続されてハウジング内の油液中に配され、浮力によるフロートの位置で供給ポンプを作動または停止させるフロートスイッチとを備えて成ることを特徴とする油液ポンプ装置。
【請求項２】
供給ポンプは、電磁ポンプ、ダイヤフラムポンプ、ピストンシリンダポンプのいずれかのよる請求項１記載の油液ポンプ装置。
【発明の詳細な説明】
【技術分野】
【０００１】
本発明は、例えば油性離型剤等の油液を充填した油液タンクから当該油液を汲み上げて所定の離れた場所、例えば金型内側面等に噴霧供給するに際し、油液供給時の油量変動・脈動等を防止すべく油液回路上の油量を一定範囲内に制御するための油量調整機構を備えた油液ポンプ装置に関するものである。
【背景技術】
【０００２】
一般的に油液を供給する際の油液圧力の蓄圧はアキュムレータにより行われる。このアキュムレータは、ハウジング内に予め気体が所定の圧力で封入されて成り、必要とする油液量によっては気体の圧力が高くなる。特に、油性離型剤を圧送供給する場合には、微量の油液を精密定量的に吐出させる必要があるから、気体による高精度の圧力設定を行う必要がある。一般にアキュムレータとは、常にハウジング内に高圧エネルギーを蓄えておき、必要に応じて液圧機械を動作させるための液量を供給する装置として使用される。
【０００３】
すなわち、アキュムレータの原理は、ハウジング内に圧縮性気体を予め充填しておき、さらにこのハウジング内に非圧縮性液体を押し込み充填すると、圧縮性気体が圧縮して、非圧縮性液体がその押し込み充填圧力に相当する液量だけハウジング内に封入された後、ハウジングを開放することで当該ハウジング内に入っていた非圧縮性液体が圧縮性気体の膨張力でもって外部へ勢いよく吐出するというものである。
【特許文献１】特になし
【発明の開示】
【発明が解決しようとする課題】
【０００４】
このようなアキュムレータを例えば圧力スイッチ等によって制御する場合には、当該圧力スイッチのオン点とオフ点との差であるデイファレンシャルヒステリシスによってノコギリ状波形による圧力変動を示すことが避けられないものとなっている。このため従来では、アキュムレータの二次側に減圧弁を付設することによってハウジング内の圧力を一定に保持する必要があるが、その圧力設定精度は減圧弁自体の設定精度によって大きく左右されるのであって、このため精確な油圧安定性の確保等による安定した油量の供給管理体勢が要求されるものとなる。このようにアキュムレータを圧力スイッチにより制御するに際し、油圧変動が当該圧力スイッチのヒステリシスに大きく影響されてしまうため、油液の吐出量が一定に維持されないものとなるのである。
【０００５】
そこで本発明は叙上のような従来存した諸事情に鑑み創出されたもので、油圧・油量変動を無くすための管理対策として、例えば電磁ポンプの電気的なＯＮ／ＯＦＦ動作、ダイヤフラムポンプの機械的な油圧動作、ピストンシリンダポンプの機械的な押圧動作等の供給ポンプによる油量をフロートスイッチによって管理することが可能な油量調整機構を形成することで、油圧の変動にかかわらずにその必要とする時間当たりの油量を一定範囲内に制御することが精密に行われ、吐出油量の変動の無い一定の流量を確保可能にした油液ポンプ装置を提供することを目的とする。
【課題を解決するための手段】
【０００６】
上述した課題を解決するため、本発明にあっては、油液タンクＰから油液Ｑを汲み上げて所定の離れた場所へ供給する供給ポンプ２と、供給ポンプ２による油液Ｑ供給時の油量を制御する油量調整機構３とを備えた油液ポンプ装置１であって、油量調整機構３は、内部圧調整用の減圧弁４が接続され、供給ポンプ２からの油液Ｑが収容されるハウジング３Ｂと、油液Ｑの増減に伴う油量の変動によって上下動するフロート１２、供給ポンプ２に接続されてハウジング３Ｂ内の油液Ｑ中に配され、浮力によるフロート１２の位置で供給ポンプ２を作動または停止させるフロートスイッチ１１とを備えて成るものである。
また、供給ポンプ２は、電磁ポンプ、ダイヤフラムポンプ、ピストンシリンダポンプのいずれかのよるものとすることができる。
【０００７】
以上のように構成された本発明に係る油液ポンプ装置１にあって、供給ポンプ２によって油液タンクＰから油液Ｑを汲み上げて所定の離れた場所へ供給するに際し、減圧弁４はハウジング３Ｂ内における空域の内部圧が増大したときにその内部圧を減圧制御させる。このとき、油量調整機構３のフロートスイッチ１１は、フロート１２がハウジング３Ｂ内の油液Ｑの増量に伴う油面によって上昇位置になると、このフロート１２の位置で、例えば供給ポンプ２を停止させ、このときの供給油量の減少により所定箇所例えば金型内側面等に噴霧供給する油液Ｑを減量させるものとなる。
一方、フロート１２が所定箇所への油量の供給の減少に伴いハウジング３Ｂ内の油液Ｑも減少することで油面低下となって下降位置になると、このフロート１２の位置で、例えば供給ポンプ２を作動させ、このときの供給油量の増加により所定箇所への油液を増大供給させ、油量調整機構３のハウジング３Ｂ内の油液Ｑも増量される。
これによって所定箇所へ供給する油液Ｑ量は常に略一定に保持させられ、ハウジング３Ｂに接続されている減圧弁４による内部圧の調整とともに吐出油量の変動を阻止させるものとなる。
また、電磁ポンプ、ダイヤフラムポンプ、ピストンシリンダポンプによる供給ポンプ２は、電磁ポンプの電気的なＯＮ／ＯＦＦ動作、ダイヤフラムポンプの機械的な油圧動作、ピストンシリンダポンプの機械的な押圧動作等による供給油量に対し、前記フロートスイッチ１１によりヒステリシスに影響されない管理を可能にさせる。
【発明の効果】
【０００８】
本発明によれば、供給油量の時間的変動を無くすための管理対策として、例えば電磁ポンプの電気的なＯＮ／ＯＦＦ動作、ダイヤフラムポンプの機械的な油圧動作、ピストンシリンダポンプの機械的な押圧動作等の供給ポンプ２による油量をフロートスイッチ１１によって管理することが可能な油量調整機構３を形成することで、所定箇所に供給する油液Ｑ量を一定範囲内に制御でき、吐出油量の変動の無い一定の流量を確保可能にする。
【０００９】
特に、油性離型剤等の油液Ｑを充填した油液タンクＰから当該油液Ｑを汲み上げて所定の離れた場所へ供給するに際し、油液供給時の油量変動・脈動等を防止すべく油液回路上の油量を一定範囲内に制御することができ、これによって微量の油液Ｑでもその所定場所へ定量的に吐出供給させることができる。
【００１０】
すなわちこれは本発明が、油量調整機構３は、内部圧調整用の減圧弁４が接続され、供給ポンプ２からの油液Ｑが収容されるハウジング３Ｂと、油液Ｑの増減に伴う油量の変動によって上下動するフロート１２、供給ポンプ２に接続されてハウジング３Ｂ内の油液Ｑ中に配され、浮力によるフロート１２の位置で供給ポンプ２を作動または停止させるフロートスイッチ１１とを備えて成るからであり、これにより、所定箇所に供給する単位時間当たりの油液Ｑ量を常に略一定に保持させておくことができ、ハウジング３Ｂ内での圧力変動にかかわらず吐出油量の変動を未然に回避できる。
【００１１】
また、供給ポンプ２は、電磁ポンプ、ダイヤフラムポンプ、ピストンシリンダポンプのいずれかによるものとしたので、電磁ポンプの電気的なＯＮ／ＯＦＦ動作、ダイヤフラムポンプの機械的な油圧動作、ピストンシリンダポンプの機械的な押圧動作等による供給油量に対し、前記フロートスイッチ１１によるヒステリシスに影響されない油液Ｑの管理が可能となる。
【００１２】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１３】
以下図面を参照して本発明を実施するための最良の一形態を説明すると、図において示される符号１は、例えば油性離型剤等の油液Ｑを充填した油液タンクＰから当該油液Ｑを汲み上げて所定の離れた場所、例えば金型内側面に噴霧供給するための油液ポンプ装置である。この油液ポンプ装置１は、図１に示すように、電磁ポンプ等による供給ポンプ２と、供給ポンプ２による油液供給時の油量を制御する油量調整機構３とから構成されている。尚、供給ポンプ２としては、電磁ポンプを採用する以外に、例えばダイヤフラムポンプ、ピストンシリンダポンプ等やその他のポンプを採用しても良い。
【００１４】
すなわち、油液タンクＰ内に汲み上げ用の導管Ｒ１の一端を挿入し、この導管Ｒ１の他端は供給ポンプ２の油液Ｑの吸い込み口２Ａに接続してある。また、供給ポンプ２の油液Ｑの吐出口２Ｂには、導管Ｒ２の一端を接続し、導管Ｒ２の他端は、油量調整機構３下側の油液Ｑの出入り口３Ａに圧力計５を介して接続してある。そして、圧力計５には油圧出口側に向けて導管Ｒ３を接続してある。この圧力計５は、油量調整機構３内の圧力を表示するためのものである。尚、減圧弁４はハウジング３Ｂ内における空域の内部圧が一定圧以上のときに、その内部圧を逃がし、ハウジング３Ｂ内を常時一定圧に保持するようにしている。
【００１５】
電磁ポンプを使用した供給ポンプ２は、供給される励磁電流のオン／オフにより励磁乃至非励磁を繰り返す電磁コイルと、この電磁コイルの励磁乃至非励磁によりシリンダ内を往復動するプランジャと、このプランジャの一方向への移動時に吸入用逆止弁を閉じると同時に吐出用逆止弁を開き、他方向への移動時に吸入用逆止弁を開くと同時に吐出用逆止弁を閉じるようにして油液Ｑを吸引乃至吐出させるという従来公知の構成によるものである。
【００１６】
油量調整機構３は、図２に示すように、内底部が半球殻状に形成され、その中央には油液Ｑの出入り口３Ａを設けた有底筒状のハウジング３Ｂと、ハウジング３Ｂの上部開口側をシール部材を介して密閉するための蓋部３Ｃとから成っている。この蓋部３Ｃの中央部には、有底筒状となったガイドパイプ６が、ハウジング３Ｂ内の油液Ｑ中に臨むようにして垂下配置させてあり、このガイドパイプ６の下側にはフロートスイッチ１１が設けられている。また、蓋部３Ｃの縁側には前記減圧弁４を接続するための空気圧接続継手８を設けてある。
【００１７】
このフロートスイッチ１１は、ガイドパイプ６下側に設けられた上下一対のストッパー部７Ａ，７Ｂによって上下移動範囲が規制された状態で当該ガイドパイプ６に略中空球状のフロート１２が挿入されている。具体的には、フロート１２は、この中央を貫通するように挿入孔１２Ａを形成し、この挿入孔１２Ａにガイドパイプ６が挿通され、また挿入孔１２Ａの筒状の内壁とフロート１２の球状の外壁とによって囲繞形成されている略ドーナツ状の空間部内の対称位置にはそれぞれマグネットＭが配されている。こうして、油液Ｑの増量に伴う浮力によってフロート１２はガイドパイプ６に沿って上昇移動したり、あるいは油液Ｑの減量に伴う浮力の低下によってフロート１２はガイドパイプ６に沿って下降移動したりできるようになっている。
【００１８】
また、ガイドパイプ６の内部には、供給ポンプ２の不図示の電磁作動用の両極端子にリード線Ｌによってそれぞれ接続されて成る一対の接点バネ１３Ａ，１３Ｂが、常時バネ同士を閉じた状態にして挿入されている。このときの接点バネ１３Ａ，１３Ｂの挿入位置は、図３に示すように、フロート１２が油液Ｑ中での浮力によってガイドパイプ６の上側のストッパー部７Ａに係止された際に、マグネットＭがガイドパイプ６内の接点バネ１３Ａ，１３Ｂに対向するように配置され、このマグネットＭの吸引力によって当該一対の接点バネ１３Ａ，１３Ｂが互いに離反されてスイッチ開成状態となって供給ポンプ２の電磁駆動を停止させるようにしてある。
【００１９】
一方、フロート１２が油液Ｑ中での油量の低下によってガイドパイプ６の下側のストッパー部７Ｂに係止された際には、マグネットＭがガイドパイプ６内の接点バネ１３Ａ，１３Ｂ位置から逸脱してマグネットＭの吸引力が及ばない状態となり、これによって当該一対の接点バネ１３Ａ，１３Ｂが互いに接触されてスイッチ閉成状態に復帰し、供給ポンプ２の電磁駆動を再開始させるようにしてある。
【００２０】
こうしたフロート１２における油量変動に伴うフロートスイッチ１１の連続的なオン・オフ作動によって、所定箇所への油液Ｑの供給あるいは遮断が行われ、所定箇所への供給に伴いハウジング３Ｂ内の油量が増大すると供給ポンプ２の作動を停止させ、所定箇所への供給停止でハウジング３Ｂ内の油量が減少すると供給ポンプ２の作動を再開始させるものとなって、常に一定量の油液Ｑがハウジング３Ｂ内に収容されるようにしてある。
【００２１】
尚、一対の接点バネ１３Ａ，１３Ｂを常時開いたスイッチ開成状態にしておき、フロート１２がガイドパイプ６内の接点バネ１３Ａ，１３Ｂに対向するように移動した際に、マグネットＭの反発力によって一対の接点バネ１３Ａ，１３Ｂを互いに接触させて供給ポンプ２の電磁駆動を再開始させるようにしても良い。
【００２２】
次に、本構成による使用、動作について説明する。供給ポンプ２を作動させて油液タンクＰから油液Ｑを汲み上げ、例えば金型内側面等の所定の離れた場所へ供給する。このとき、減圧弁４はハウジング３Ｂ内の空域における内部圧が所定圧以上になったときに開放し、内部圧を一定範囲内にあるように制御している。
【００２３】
また、油量調整機構３のハウジング３Ｂ内の油液Ｑが増量した際には、フロートスイッチ１１におけるフロート１２が油量によって上昇し、上側のストッパー部７Ａに係止される。このとき、マグネットＭがガイドパイプ６内の接点バネ１３Ａ，１３Ｂに対向するように配置し、このマグネットＭの吸引力によって当該一対の接点バネ１３Ａ，１３Ｂが互いに離反されてスイッチ開成状態となり、供給ポンプ２の電磁駆動が停止して供給油量が減少する。この供給油量の減少によりハウジング３Ｂ内の油液Ｑは減量させられる。
【００２４】
一方、油量調整機構３のハウジング３Ｂ内の油液Ｑが減量した際には、フロート１２が油量の低下によって下降し、下側のストッパー部７Ｂに係止される。このとき、フロート１２の有するマグネットＭが一対の接点バネ１３Ａ，１３Ｂ位置から逸脱して当該一対の接点バネ１３Ａ，１３Ｂが互いに接触されてスイッチ閉成状態となり、供給ポンプ２の電磁駆動が開始されて供給油量が増加する。この供給油量の増加により所定箇所への油量の増大と共にハウジング３Ｂ内の油液Ｑも増量させられる。
【００２５】
これによって所定箇所への油液Ｑの供給量は常に略一定に保持させられるものとなって、油圧変動による影響を受けることなく、減圧弁４によるハウジング３Ｂ内での内部圧調整とともに油量調整機構３によって油量を一定範囲内に制御できる。
【図面の簡単な説明】
【００２６】
【図１】本発明を実施するための最良の形態における油液ポンプ装置を示す一部断面の概略構成図である。
【図２】同じく供給ポンプ、油量調整機構の拡大された一部断面の概略構成図である。
【図３】同じくフロートスイッチの動作を説明するもので、（ａ）は供給ポンプが停止して油量が減少した下降位置にある状態の断面図、（ｂ）は供給ポンプが駆動して油量が増大した上昇位置にある状態の断面図である。
【符号の説明】
【００２７】
Ｐ…油液タンク                          Ｑ…油液
Ｒ１，Ｒ２，Ｒ３…導管                  Ｍ…マグネット
１…油液ポンプ装置                      ２…供給ポンプ
２Ａ…吸い込み口                        ２Ｂ…吐出口
３…油量調整機構タ                      ３Ａ…出入り口
３Ｂ…ハウジング                        ３Ｃ…蓋部
４…減圧弁                              ５…圧力計
６…ガイドパイプ                        ７Ａ，７Ｂ…ストッパー部
８…空気圧接続継手
１１…フロートスイッチ                  １２…フロート
１２Ａ…挿入孔                          １３Ａ，１３Ｂ…接点バネ
【図１】
2006183589.tif 000003
【図２】
2006183589.tif 000004
【図３】
2006183589.tif 000005